(57)【要約】【課題】単信機能または複信機能のどちらが選択されているかが一目で解り、また、この選択を自動検知してスピーカからの音声出力を自動調整することでマイク感度不足を解消し、使い勝手の良い携帯無線機を提供することを目的とする。【解決手段】可動可能なアーム部を備えた携帯無線機であって、前記アーム部にはマイクロホンが備えられ、前記アーム部の可動により筐体に収納した状態、若しくは、引き出した状態に応じて、スピーカの音量を制御して出力することを特徴とする。【選択図】  図１
2004349839.tif 000002
【特許請求の範囲】
【請求項１】
可動可能なアーム部を備えた携帯無線機であって、
前記アーム部にはマイクロホンが備えられ、
前記アーム部の可動により筐体に収納した状態、若しくは、引き出した状態に応じて、スピーカの音量を制御して出力することを特徴とする携帯無線機。
【請求項２】
前記請求項１記載の携帯無線機であって、
前記アーム部が筐体より引き出した状態の場合に、スピーカの音量を低減するように制御して出力することを特徴とする携帯無線機。
【請求項３】
通話方式としてプレストーク送受話方式（単信方式）と同時送受話方式（複信方式）とを共用する携帯無線機において、
可動可能なアーム部にマイクロホンが備えられ、
前記アーム部の可動により筐体に収納した状態、若しくは、引き出した状態に基づいて、単信方式か複信方式かを選択することを特徴とする携帯無線機。
【請求項４】
前記請求項３記載の携帯無線機において、
前記アーム部を筐体から引き出した状態の場合に、スピーカの音量を低減するように制御して出力することを特徴とする携帯無線機。
【請求項５】
前記請求項３または請求項４記載の携帯無線機において、
前記アーム部を筐体から引き出した状態の場合に、複信機能を選択することを特徴とする携帯無線機。
【発明の詳細な説明】
【０００１】
【発明の属する技術分野】
本発明は、通話方式としてプレストーク送受話方式（単信方式）と同時送受話方式（複信方式）とを共用する携帯無線機に関し、特に複信方式と単信方式の機能のどちらが選択されているかが一目で解り、またこの選択を自動で検知する携帯無線機に関するものである。
【０００２】
【従来の技術】
図４に従来の携帯無線機の一例を示す。
図４において、３はスピーカ、４はプレストークスイッチ、５はテンキースイッチ、６はマイクロホン、また、表示部やアンテナが備えられている。
この携帯無線機における、プレストーク送受話方式（以下、単信機能、または、単信方式と呼ぶ）を用いた場合の通話について説明する。まず、テンキースイッチ５を使用して、単信機能に設定し、通話するチャネルを設定する。送信時はプレストークスイッチ４を押した状態でマイクロホン６に口を近づけて通話する。受信時はスピーカ３から出力される音声を手動で適当な音量に調整しながら、相手からの通話内容を聞き取る。この場合、通常は拡声スピーカとして音量を調整するため、比較的大きな音量となる。
次に、同時送受話方式（以下、複信機能、または、複信方式と呼ぶ）を用いた場合の通話について説明する。まず、テンキースイッチ５を使用して、複信機能に設定する。相手局から着信した場合、またはテンキースイッチ５を使用して特定の相手局を呼び出した場合、テンキースイッチ５を使用して接続を確立した状態とし、スピーカ３に耳を当て、マイクロホン６に口を近づけて、一般の電話通話の要領で会話を行う。この場合、スピーカはイヤスピーカとして機能するため、音声出力は小さくなる（音量が絞られる）ように設定される。
【０００３】
このように、単信方式と複信方式とを共用する携帯無線機においては、一般にスピーカ３とマイクロホン６を同一面に搭載している。そして、単信時には、スピーカ３から受信音声信号を出力している。しかし、複信時には送信と受信を同時に行うので、スピーカ３から出力した音声が所定音量よりも大きいと、その音声出力がマイクロホン６に入って送信され、ハウリングやエコーを起こす問題が有った。また、必要以上に音声出力が大きいと通話者に不快感を与えてしまいかねないという問題があり、このため、複信時には、スピーカ３からの音声出力がマイクロホン６に入らない程度まで音量を絞って使用する必要があった。
ここで、単信方式と複信方式とを共用する携帯無線機に関する従来技術として例えば特許文献１がある。
【０００４】
【特許文献１】
特開平８−１４９０３２号公報
【０００５】
【発明が解決しようとする課題】
上述した従来の単信方式と複信方式とを共用する携帯無線機において、現状どちらの方式が選択されているかが一見しただけでは解らないために、単信機能設定時にスピーカに耳を当てた状態で受信音のモニタをした場合、受信音量が必要以上に大きく、不快感を与えてしまいかねないという問題点があった。
また、携帯無線機の小型化を図った場合には、小型化すればするほどマイクロホン６と通話者の口との距離が離れてしまい、マイク感度が不足してしまい、このためにマイク感度を上げようとすると、周囲雑音を拾いやすくなり、相手局側の了解度が低下するという問題点があった。
【０００６】
本発明は上記従来技術に鑑みて為されたもので、単信機能または複信機能のどちらが選択されているかが一目で解り、また、この選択を携帯無線機が自動で検知してスピーカからの音声出力を自動調整することでマイク感度不足を解消し、使い勝手性の良い携帯無線機を提供することを目的とする。
【０００７】
【課題を解決するための手段】
上記従来の問題点を解決するため請求項１記載の発明は、可動可能なアーム部を備えた携帯無線機であって、前記アーム部にはマイクロホンが備えられ、前記アーム部の可動により筐体に収納した状態、若しくは、引き出した状態に応じて、スピーカの音量を制御して出力することを特徴とするものである。
【０００８】
上記従来の問題点を解決するため請求項２記載の発明は、前記請求項１記載の携帯無線機であって、前記アーム部が筐体より引き出した状態の場合に、スピーカの音量を低減するように制御して出力することを特徴とするものである。
【０００９】
上記従来の問題点を解決するため請求項３記載の発明は、通話方式としてプレストーク送受話方式（単信方式）と同時送受話方式（複信方式）とを共用する携帯無線機において、可動可能なアーム部にマイクロホンが備えられ、前記アーム部の可動により筐体に収納した状態、若しくは、引き出した状態に基づいて、単信方式か複信方式かを選択することを特徴とするものである。
【００１０】
上記従来の問題点を解決するため請求項４記載の発明は、前記請求項３記載の携帯無線機において、前記アーム部を筐体から引き出した状態の場合に、スピーカの音量を低減するように制御して出力することを特徴とするものである。
【００１１】
上記従来の問題点を解決するため請求項５記載の発明は、前記請求項３または請求項４記載の携帯無線機において、前記アーム部を筐体から引き出した状態の場合に、複信機能を選択することを特徴とするものである。
【００１２】
【発明の実施の形態】
本発明の実施の形態について説明する。
図１は本発明の実施の形態である携帯無線機であり、図１（ａ）は複信機能設定時の外観状態を示し、図１（ｂ）は単信機能設定時の外観状態を示す。
図１において、１はマイクロホン、２はアーム部、３はスピーカ、４はプレストークスイッチ、５はテンキースイッチ、であり、また、表示部やアンテナを備えており、アーム部２の先端付近にマイクロホン１が備えられている。
本実施の形態においては、アーム部２が可動する機構であり、アーム部が「開」状態（図１（ａ）の状態）か、若しくは、「閉（収納）」状態（図１（ｂ）の状態）により、複信機能を設定しているか、若しくは単信機能を設定しているかを選択している。
また、携帯無線機筐体にアーム部２が可動接続される部分には突起部等によりスイッチ機構が設けられている（図示せず）。詳細は後述する。
【００１３】
図２は本発明の実施の形態である携帯無線機のハードブロック図を示す。
アンテナと、無線制御部と、受信部と、音声制御部とスピーカ３と、送信部と、マイクロホン１と、アーム部２の開閉機構部と、より構成される。
通話者が音声入力を行う場合には、マイクロホン１より音声が入力され、送信部にて送信信号に変換され、無線制御部により周波数変換されてアンテナより無線電波として相手局へ送信される。
また、相手局より本携帯無線機に送信が為されると、アンテナにより受信し、無線制御部にて周波数変換され、受信部にて音声信号に変換される。そして音声制御部は音声信号に対して減衰するか否かをアーム部２の開閉機構部（「開」または「閉」）に応じて決定し、スピーカ３より出力する。
【００１４】
図３は本発明の実施の形態である携帯無線機の音声制御部の実施例であり、図３（ａ）は音声制御部の第１実施例、図３（ｂ）は音声制御部の第２実施例、図３（ｃ）は音声制御部の第３実施例、を示す。
図３（ａ）音声制御部の第１実施例においては、音声制御部に入力された音声信号は、単信方式が選択されている場合はそのまま音声電力増幅器を介してスピーカより音声出力され、また、複信方式が選択されている場合は減衰器により音声信号を減衰してから、音声電力増幅器を介してスピーカより音声出力される。
単信と複信の切替えはアーム部２の開閉に伴い、「開」の旨を示す信号、または「閉」の旨を示す信号により減衰器の前後段にあるスイッチ７のスイッチ動作が為される。これは、アーム部が開いている場合には「開」の旨を示す信号が出力され、アーム部が閉じている（すなわち収納されている）場合には「閉」の旨を示す信号が出力されることにより実現される。
【００１５】
図３（ｂ）音声制御部の第２実施例においては、前述した図３（ａ）第１実施例のスイッチ７を減衰器の後段のみに備えた構成である。
音声制御部に入力された音声信号は、単信方式が選択されている場合はそのまま音声電力増幅器を介してスピーカより音声出力される。また、複信方式が選択されている場合はスイッチ７’により単信時の経路が遮断されて、減衰器の入出力が接続されるため、減衰器により音声信号を減衰してから、音声電力増幅器を介してスピーカより音声出力される。
【００１６】
図３（ｃ）音声制御部の第３実施例においては、前述した図３（ａ）第１実施例のスイッチ７をアーム部２の開閉機構そのものの可動状態に応じてスイッチングが為されることを示すものである。
単信と複信の切替えはアーム部２の開閉に伴い、「開」状態、または「閉」状態により減衰器の前後段に接続されるスイッチ８の物理的なスイッチ動作により切替わる。
図３（ｃ）では、アーム部が開いている場合には減衰器の前後段に接続されるようにスイッチングが為され（すなわち、図面上で両方のスイッチが右側（実線）に接続される状態）、また、アーム部が閉じている（収納されている）場合には減衰器に接続されないようにスイッチングが為され（すなわち、図面上で両方のスイッチが左側（点線）に接続される状態）、このことによりアーム部の「閉」「閉」に伴う音声信号の音量調節を実現する。
【００１７】
さらに、図３（ｂ）第２実施例と図３（ｃ）第３実施例を組合わせることにより、スイッチを１つとして、アーム部の開閉機構そのものによるスイッチ動作を為すこともできる。
なお、音声電力増幅器はテンキースイッチ５や図示しないボリューム（つまみ）の操作等に応じて音声信号の増幅の調整を行っている。
【００１８】
ここで、単信方式と複信方式の各設定による通話の状態について説明する。
まず、単信機能を設定する場合（図１（ｂ）の状態）について説明する。
アーム部２を携帯無線機の筐体内に収納した状態で単信機能が設定される。これは、アーム部２は携帯無線機の筐体との結合部分（ヒンジ部分）に設けられた開閉機構部により、図３で説明したスイッチ（スイッチ７、または、スイッチ７’、または、スイッチ８）を単信時の経路を選択するような状態となり、携帯無線機は単信モードであることを自動的に認識（検知）する。
次に、テンキースイッチ５を使用して、通話チャネルを設定する。送信時はプレストークスイッチ４を押した状態でマイクロホン６に口を近づけて通話する。受信時はスピーカ３から出力される音声を手動で適当な音量に調整しながら、相手からの通話内容を聞き取る。
【００１９】
つぎに、複信機能を設定している場合（図１（ａ）の状態）について説明する。アーム部２を携帯無線機の筐体内から引き出した状態で複信機能が設定される。これは、アーム部２は携帯無線機の筐体との結合部分（ヒンジ部分）に設けられた開閉機構部により、図３で説明したスイッチ（スイッチ７、または、スイッチ７’、または、スイッチ８）を複信時の経路を選択するような状態となり、携帯無線機は複信モードであることを自動的に認識（検知）する。
相手局から着信した場合、またはテンキースイッチ５を使用して特定の相手局を呼び出した場合、テンキースイッチ５を使用して接続を確立した状態とし、スピーカ３に耳を当て、マイクロホン１に口を近づけて、電話機通話の要領で会話を行う。スピーカ音量は前述した図３の説明に示したように、切替えスイッチによるスイッチング（スイッチ動作）に基づいて減衰器に接続されて減衰されて音声出力が為される。
【００２０】
このように、単信時は切替えスイッチ（スイッチ７、または、スイッチ７’、または、スイッチ８）が図３に示した「単信時の経路（単信時のスイッチ）」側に切り替わり、音声信号は通常の経路で音声電力増幅器に入力され、携帯無線機を耳に当てなくても十分通話内容を聞き取ることが出来るレベルでスピーカから音声出力を行う。
また、複信時は切替えスイッチが図３に示した「複信時の経路（複信時のスイッチ）」側に切り替わり、減衰器を通過した後で音声電力増幅器に入力され、携帯無線機のスピーカに耳をあてないと通話内容を聞き取ることが出来ないレベルでスピーカ３から音声出力が行われる。
【００２１】
上述したように、本発明の実施の形態においては、アーム部２を携帯無線機の筐体内に収納することにより、自動で単信モードと認識し、従来からの携帯無線機と同様に送信時はプレストークスイッチ４を押した状態でマイクロホン１に口を近づけて通話し、受信時はスピーカ３から出力される音声を聞く。
また、アーム部２を携帯無線機の筐体内から引き出すことにより、自動で複信モードと認識し、スピーカ３に耳を当て、マイクロホン１に口を近づけて、電話機通話の要領で会話を行う。この複信時の際、アーム部２が筐体から出ている分、マイクロホン１の位置が通話者の口元に近くなるため、音声を明瞭に入力する事が出来る上、携帯無線機が自動でスピーカ出力を低減するため、誤って単信時の大音量音声を聞いてしまうという不快感を無くする事が出来る。
すなわち、携帯無線機が自動で単信方式と複信方式の設定を認識し、複信方式時は、スピーカからの音量を自動で低減させるうえに、マイクロホンの位置が口元に近い所に位置することとなる。
【００２２】
本発明の実施の形態によれば、マイクロホンを内蔵した部品を携帯無線機の筐体に収納したり、引き出したりする構造とし、マイクロホンの収納状態に応じて、スピーカの音量を自動で切り替える手段を有することでスピーカの音量制御を行う携帯無線機とすることができる。
また、このような携帯無線機において、マイクロホンが引き出された状態の場合のみ、スピーカの音量を自動で低減させるようにスピーカの音量制御を行う携帯無線機とすることができる。
【００２３】
また、本発明の実施の形態によれば、通話方式としてプレストーク送受話方式（単信方式）と同時送受話方式（複信方式）とを共用する携帯無線機に特に有効であり、マイクロホンが引き出された状態においては自動で複信機能に切り替わり、マイクロホンが筐体に収納された状態においては、自動で単信機能に切り替わる携帯無線機とすることができる。
また、マイクロホンを筐体から引き出したり、筐体に収納したり出来る手段を設け、複信時にはマイクロホンを筐体から引き出して通話者の口元に近づけられるようにし、その状態を携帯無線機が自動で検知してスピーカからの音量を自動で低減させるようにした携帯無線機とすることができる。
【００２４】
【発明の効果】
本発明によれば、マイクロホンの収納状態に応じて、スピーカの音量を自動で切り替えて音量制御を自動的に行うことが出来る携帯無線機を提供することが出来る。
また、本発明によれば、単信機能または複信機能のどちらが選択されているかが一目で解り、また、この選択を携帯無線機が自動で検知してスピーカからの音声出力を自動調整することでマイク感度不足を解消し、使い勝手性の良い携帯無線機を提供することが出来る。
また、本発明によれば、複信時にはマイクロホンを引き出した状態で使用するため、マイクロホンを通話者の口元により近づけることが出来、通話内容を相手により明瞭に伝達することが出来る。
また、本発明によれば、携帯無線機が自動で単信機能設定と複信機能設定の各動作を認識することができ、複信機能設定時には、自動で音声出力レベルを下げて、スピーカに耳をあてた状態での音声増大による耳への不快感を無くす事が出来る。
【図面の簡単な説明】
【図１】本発明の実施の形態である携帯無線機であり、（ａ）は複信機能設定時の外観状態を示し、（ｂ）は単信機能設定時の外観状態を示す。
【図２】本発明の実施の形態である携帯無線機のハードブロック図を示す。
【図３】本発明の実施の形態である携帯無線機の音声制御部の実施例であり、（ａ）第１実施例、（ｂ）第２実施例、（ｃ）第３実施例、を示す。
【図４】従来の携帯無線機の一例を示す。
【符号の説明】
１、６・・・マイクロホン、２・・・アーム部、３・・・スピーカ、４・・・プレストークスイッチ、５・・・テンキースイッチ、７、７’・・・切替えスイッチ、８・・・開閉機構による切替えスイッチ
【図１】
2004349839.tif 000003
【図２】
2004349839.tif 000004
【図３】
2004349839.tif 000005
【図４】
2004349839.tif 000006